【事件の表示】
　特許第３３８８９１３号「感熱記録材料」の請求項１、２に係る特許に対する特許異議の申立てについて、次のとおり決定する。
【結　論】
　特許第３３８８９１３号の請求項１ないし２に係る特許を維持する。
【理　由】
１．本件発明
　本件特許第３３８８９１３号の請求項１、２に係る発明は、本件特許明細書の記載からみて、その特許請求の範囲の請求項１、２に記載された次のとおりのものと認める。
「【請求項１】支持体の片面に、ロイコ染料と顕色剤を含む感熱発色層を設け、その上に保護層を設けた感熱記録材料において、該感熱発色層中に、該顕色剤として２，４’−ジヒドロキシジフェニルを、増感剤として４，４’ジアリルオキシジフェニルスルホンを含有し、ｍ−ターフェニルおよびシュウ酸ジベンジルを含有しないことを特徴とする感熱記録材料。
【請求項２】 支持体の他面に、感圧接着剤層を介して剥離紙を付設してなることを特徴とする請求項１記載の感熱記録材料。」
　なお、本件の請求項１、２に係る発明を、以下、「本件発明１」、「本件発明２」という。
　
２．特許異議申立の理由の概要
　特許異議申立人・佐藤徹は、証拠として甲第１〜５号証を提出し、本件の請求項１、２に係る発明は、甲第１〜５号証に記載された発明に基づいて当業者が容易に発明をすることができたものであるから、特許法第２９条第２項の規定により特許を受けることができないとして本件の請求項１、２に係る特許は取り消されるべきものである旨主張する。
（証拠）
甲第１号証：特開平６−９９６６５号公報
甲第２号証：特開昭６３−３９９１号公報
甲第３号証：特開昭６２−５６１８７号公報
甲第４号証：特開平６−１８３１４６号公報
甲第５号証：特開平６−１８３１４７号公報
　
３．甲第１〜５号証の記載事項
　甲第１号証には、
（１ａ）「【請求項１】支持体の表面に、無色または淡色のロイコ染料及び顕色剤を含有する感熱発色層、保護層を順次塗設してなる感熱記録材料において、該感熱発色層中に、該ロイコ染料として・・・の少なくとも１種、及び該顕色剤として２．４’−ジヒドロキシジフエニルスルホンを含有することを特徴とする感熱記録材料。
【請求項２】ロイコ染料にフルオラン系ロイコ染料を併用してなること特徴とする請求項１記載の感熱記録材料
【請求項３】支持体の他面に、感圧接着剤層を塗設し、該感圧接着剤層を介して剥離紙を付設し、一体化してなることを特徴とする請求項１又は２記載の感熱記録材料。」（特許請求の範囲）、
（１ｂ）「本発明は、・・・高感度で、画像保存性、白紙の耐熱性に優れ・・・感熱記録材料に関するものである。」（【０００１】）、
（１ｃ）「本発明の目的は、画像保存性に優れ、且つ白紙の耐熱性を備え、近赤外部の読み取りを可能にした感熱記録材料を得ることである。」（【０００４】）、
（１ｄ）「本発明での感度感度向上のために使用される増感剤は、耐熱性の点でかなり限定されるが、支障のない範囲でシュウ酸ジ−ｐ−メチルベンジルエステル、シュウ酸ジ−ｐ−クロルベンジルエステル、２−ベンジルオキシナフタレン、安息香酸やテレフタル酸のエステル類、ナフタレンスルホン酸エステル類、ナフチルエーテル誘導体、アントリルエーテル誘導体、脂肪族エーテル系誘導体、その他フェナントレン、フルオレン等の増感剤を使用することは可能であり、又、前記のワックス類も増感剤として併用することも可能である。」（【００２４】）、
（１ｅ）「【実施例】・・・実施例１
１．中間層１の作成・・・塗抹し中間層１とした。
２．感熱発色層の作成
１）Ａ液の調製　３．３−ビス［２−（ｐ−ジメチルアミノフエニル）−２−（ｐ−メトキシフエニル）エテニル］−４．５．６．７テトラクロロフタリド３５部・・・
２）Ｂ液の調製　２，４’−ジヒドロキシジフエニルスルホン７０部・・・
３）Ｃ液の調製・・・
上記により調製したＡ、Ｂ、Ｃ液を混合し・・・感熱発色層塗液とした。・・・塗抹し、感熱記録材料とした。
次に保護層液として・・・塗抹し、・・・処理を行なった。・・・
比較例１　実施例１の２．４’−ジヒドロキシジフエニルスルホンに代えて、４．４’−ジヒドロキシジフエニルスルホンを使用した以外、実施例１と同様にして感熱記録材料を得た。
比較例２　実施例１の２，４’−ジヒドロキシジフエニルスルホンに代えて、ビスフエノールＡを使用した以外、実施例１と同様にして感熱記録材料を得た。
比較例３　実施例１の２，４’−ジヒドロキシジフエニルスルホンに代えて、４−ヒドロキシ−４’−イソプロピルオキシジフエニルスルホンを使用した以外、実施例１と同様にして感熱記録材料を得た。・・・
上記の実施例１〜５及び比較例１〜６で得た感熱記録材料について、感度、白紙の耐熱性、画像の保存安定性、近赤外部の読み取りの各評価を行い、その結果を表１に示した。なお、各評価方法については、次のとおりである。感度は、ラベラー（ＩＳＨＩＤＡ、ＩＦ２１ＥＸ、０．６５ｍｓ，２３Ｖ）の印字濃度をマクベス濃度計で測定した値で、数字が大きいほど感度が高く、実用的には、少なくとも０．９以上が望ましい。白紙の耐熱性は、電子レンジでの白紙部の地肌かぶりを見る指標としての静発色の立ち上がりの濃度であり、１００℃での濃度をマクベス濃度計で測定した値で、数字は、小さい方が良く、実用的には０．２以下が望ましい。画像の保存安定性は、耐可塑剤での保存安定性で、画像部の上にダイヤラップＧ（三菱樹脂製）を３枚重ね、４０℃、２４ｈｒｓ処理した時の画像の残存率を示し、数字は大きいほど保存安定性が良く、実用的には８０％以上が望ましい。近赤部の読み取りは、・・・とした。」（【００３１】〜【００５０】）、
（１ｆ）表１には実施例１として、感度１．０１、白紙の耐熱性０．１０、画像保存性８７．１と記載され（【００５１】の【表１】）、
（１ｇ）「【発明の効果】実施例から明らかなように、本発明のものは、高感度で、白紙の耐熱性を備え、画像保存性に優れ、近赤部の読み取りが可能なものであった。」（【００５２】）が記載されている。
　
　甲第２号証には
（２ａ）「それぞれ発色物資として無色又は淡色のロイコ染料を含有し、顕色物質としてフェノール化合物を含有する感熱発色層を支持体上に設けてなる感熱記録材料において、前記顕色物質が２，４’−ジヒドロキシジフェニルスルホンを主成分として含有することを特徴とする感熱記録材料。」（特許請求の範囲）、
（２ｂ）「本発明は、ロイコ染料と２，４’−ジヒドロキシジフェニルスルホンとを含有する感熱発色層を支持体上に設けた、発色部の可塑剤による劣化や光による劣化を防止することのできる感熱記録材料に関するものである。」（１頁左下欄１４〜１８行）、
（２ｃ）「本発明は、低エネルギーによっても十分な濃度で発色し、塩ビシート中の可塑剤による劣化や光による劣化を生ずることのない、すぐれた感熱記録材料を提供しようとするものである。」（２頁左上欄１８行〜右上欄２行）、
（２ｄ）「併用される増感剤としては、高級脂肪酸又はそのエステル、アミド、金属塩のほか、・・・ビスフェノールＳ誘導体等が挙げられる。これらのうちでは、ビスフェノールＳ誘導体との併用が堅牢性し優れ、好ましい。」（２頁右下欄２〜８行）、
（２ｅ）「本発明の感熱記録材料を用いる事により、塩ビシートとの接触による劣化も殆んどなく、光による劣化も殆どない、安定な印字が得られる。」（２頁右下欄１８行〜３頁左上欄１行）、
（２ｆ）「（実施例）・・・
実施例１　感熱発色層形成液として、下記のＡ液及びＢ液をそれぞれ別途に用意し、サンドミルを用いて３時間微粉砕して分散させた。
Ａ　液（発色物質分散液）３−Ｎ−メチル−Ｎ−シクロヘキシルアミノ−６−メチル−７−アニリノフルオラン２．０部・・・
Ｂ　液（顕色物質分散液） ２，４’−ジとドロキシジフェニルスルホン２．８部・・・
Ｃ　液  Ｂ液３．０部・・・
次いで、Ａ液０．７８部およびＣ液１０部を混合して感熱発色層の塗布液を調製し、・・・塗布し、風乾して感熱記録紙を得た。
実施例２　実施例１におけるＢ液にさらに下記Ｄ液を混合し、Ｂ液を調整した。
Ｄ　液（増感物質分散液）  ステアリン酸アミド２．８部・・・
Ｅ　液　Ｂ液３．０部  Ｄ液３．０部・・・
次いで、Ａ液０．７８部およびＥ液１０部を混合し、他は実施例１と同様にして感熱記録紙を得た。
比較例１〜３　実施例１におけるＢ液の顕色剤２，４’−ジヒドロキシジフェニルスルホンをｐ−ヒドロキシ安息香酸ベンジル、ビスフェノールＡ及び４，４’−ジヒドロキシジフェニルスルホンに代えた他は実施例１と同様にして比較用感熱記録紙を得た。それらをそれぞれ比較例１、２及び３とする。・・・
性能試験例　実施例及び比較例で得られた感熱記録紙の性能比較試験を次のようにして行なった。
（１）発色性　熱傾斜試験機（東洋精機製作所）を用い、サンプル加圧２ｋｇ／ｃｍ２、加熱時間５秒で発色させた。発色温度は５℃きざみとして行なった。次に、カラーコンピューター（スガ試験機）を用い、色濃度C＊を測定した。発色前の感熱記録紙の色濃度をC０＊（地肌カブリ）、発色後の色濃度をC１＊とした。ａ）地肌カブリ　地肌カブリは小さい方が良い。ｂ）立ち上り及び立ち終り温度と色濃度C＊発色温度とその時の色濃度C＊をグラフにプロットし、接線を引いてその交点より、立ち上り温度と色濃度 C＊、立ち終り温度と色濃度C＊を求めた。立ち上り温度と立ち終り温度との差が小さい程良い。
（２）耐塩ビ可塑剤性・・・
（３）耐光性　熱傾斜試験機で加熱発色させた感熱記録紙をフェード・オ・メーター（スガ試験機）で６３℃で２０時間露光後、地肌と発色部の色濃度C＊を測定した。発色部の残存率は、
      残存率＝（露光後の色濃度／露光前の色濃度）×１００（％）で表した。残存率は大きい方が良い。
（４）耐水性・・・結果を表１に示す。」（３頁左上欄２行〜４頁右上欄２０行）、
（２ｇ）表１には実施例１（増感剤なし）として「残存率」欄の「耐光性」は１００％、「地肌の色濃度」は１．５４、実施例２（増感剤：ステアリン酸アミド）として、「残存率」欄の「耐光性」は７９％、「地肌の色濃度」は１．４７（４頁下欄、表１）が記載されている。
　
　甲第３号証には、
（３ａ）「支持体上にロイコ染料と顕色剤とを主成分として含有する感熱発色層を設けた感熱記録材料において、更に、下記一般式（Ｉ）で表される化合物を、少なくとも１種含有させたことを特徴とする感熱記録材料。
一般式（Ｉ）（化学式省略）」（特許請求の範囲）、
（３ｂ）「本発明は、・・・高感度でかつ、経時で画像劣化の少ない信頼性の向上した感熱記録材料を提供することを目的とする。」（２頁左上欄１８行〜右上欄１行）、
（３ｃ）「一般式（Ｉ）の化合物の具体例としては例えば、以下の様な化合物が挙げられるが、これらのものに限定されるものではない。４，４’ジアリルオキシジフェニルスルホン（構造式に代え化合物名）」（２頁右上欄最下行〜左下欄４行）、
（３ｄ）「本発明において用いられる顕色剤としては、従来から公知のフェノール性物質や、無機・有機酸性物質及びその誘導体さらには金属錯体などがあげられる。その具体例を示すと、・・・４−ヒドロキシジフェニルスルホン・・・等。」（４頁左上欄１３行〜右下欄４行）、
（３ｅ）「本発明の感熱記録材料は、前記一般式（Ｉ）で示される化合物を少なくとも１種含有させたものであるから、従来の感熱記録材料に比較して、記録画像の経時による褪色及び温湿度による褪色が小さい。」（５頁左下欄７〜１１行）、
（３ｆ）「実施例１
[Ａ液]　３−（Ｎ−メチル−Ｎ−シクロヘキシル）アミノ−６−メチル−７−アニリノフルオラン１０部・・・
[Ｂ液]　Ｐ−ヒドロキシ安息香酸ベンジル１０部・・・４，４’ジアリルオキシジフェニルスルホン（構造式に代え化合物名）１０部
 上記組成からなる混合物を・・・分散して、Ａ液、Ｂ液を調製した。 ・・・感熱発色層塗布液を調製し、・・・塗布乾燥した。・・・本発明の感熱記録材料を作た。・・・
比較例１　実施例１において[Ｂ液]の４，４’ジアリルオキシジフェニルスルホン（構造式に代え化合物名）を除いた他は実施例１と同様にして比較用の感熱記録材料を得た。・・・以上の感熱記録材料について画像濃度、地肌濃度及び耐湿熱保存性について試験を行った。その結果を表−１に示した。
(1)画像濃度・・・
(2)耐湿熱保存性　(1)のラストで印字したサンプルを４０℃９０％ＲＨ以下に２４時間放置した後の濃度を測定し、評価した。」（５頁左下欄１５行〜６頁左下欄１行）、
（３ｇ）「表−１の結果から明らかなように、本発明の感熱記録材料は従来のもに比べ、画像の安定性が優れている。」（６頁左下欄、表の下１〜３行）が記載されている。
　
　甲第４号証には、
（４ａ）「支持体上に、無色ないし淡色の塩基性染料と顕色剤を含有する記録層を設けた感熱記録体において、記録層中に、ビスフェノールＳジアリルエーテルとシュウ酸ジベンジルを含有したことを特徴とする感熱記録体。」（【請求項１】）、
（４ｂ）「本発明は感熱記録体に関し、特に記録像の経時的保存安定性に優れ、且つ白紙部の発色能の低下が少ない高感度感熱記録体に関するものである。」（【０００１】）、
（４ｃ）「・・・呈色剤としては、各種公知のものが使用でき、例えば下記が例示される。・・・２，４’−ジヒドロキシジフェニルスルホン・・・等。」（【００１１】）、
（４ｄ）「実施例１　
(1)Ａ液調製　３−ジ（ｎ−ブチル）アミノ−６−メチル−７−アニリノフルオラン１０部、シュウ酸ジベンジル（ｍｐ＝８１℃）２５部、・・・
(2)Ｂ液調製　４，４′−イソプロピリデンジフェノール２０部、・・・
(3)Ｃ液調製　ビスフェノールＳジアリルエーテル（ｍｐ＝１４１℃）２０部、・・・
(4)記録層の形成　Ａ液７５部、Ｂ液５５部、Ｃ液５５部、・・・記録層用塗液を、・・・塗布乾燥して記録層を形成した。・・・
　比較例１　Ａ液調製において、シュウ酸ジベンジルの代わりに、１，２−ジフエノキシエタン（ｍｐ＝９７℃）を用いた以外は実施例１と同様にして感熱記録体を得た。
　比較例２　Ａ液調製において、シュウ酸ジベンジルの代わりに、ジ（βービフェニルエトキシ）ベンゼン（ｍｐ＝８１℃）を用いた以外は、実施例１と同様にして感熱記録体を得た。
　比較例３　Ｃ液を使用しない以外は、実施例１と同様にして感熱記録体を得た。・・・感熱記録体について以下の評価試験を行い、その結果を〔表１〕に記載した。
〔発色濃度〕・・・
〔記録像の耐熱性〕記録後の感熱記録紙を５０℃−１０％ＲＨの雰囲気中に４８時間放置した後、マクベス濃度計を用いて上記記録部の濃度（Ｄ２）を測定した。また、下記式により記録濃度残存率（％）を求めた。
　　記録濃度残存率＝Ｄ２　／Ｄ１　×１００　
〔白紙部の発色能〕記録前の感熱記録紙を５０℃−１０％ＲＨの雰囲気中に４８時間放置した後、上記〔記録濃度〕の方法で記録し、その記録濃度（Ｄ３）をマクベス濃度計にて測定した。また、下記式により発色能（％）を求めた。発色能＝Ｄ３　／Ｄ１　×１００」（【００１９】〜【００２５】）、
（４ｅ）表１には、実施例１として、耐温性（Ｄ２）１．０７、記録濃度（Ｄ２）１．２４、比較例３では、耐温性（Ｄ２）０．７８、記録濃度（Ｄ２）１．２２（【００２６】の表１）、
（４ｆ）「〔表１〕の結果から明らかなように、本発明の感熱記録体は、いずれも記録像の保存安定性および記録感度に優れ、しかも白紙部の発色能の低下が少ない感熱記録体であった。」（【００２７】）が記載されている。
　
　甲第５号証には、
（５ａ）「支持体上に、無色ないし淡色の塩基性染料と顕色剤を含有する記録層を設けた感熱記録体において、記録層中に、ビスフェノールＳジアリルエーテルとｍ−ターフェニルを含有したことを特徴とする感熱記録体。」（【請求項１】）
（５ｂ）「本発明は感熱記録体に関し、特に記録像の経時的保存安定性に優れ、且つ白紙部の発色能の低下および地肌カブリの少ない感熱記録体に関するものである。」（【０００１】）、
（５ｃ）「本発明の目的は高温条件下に曝されても記録濃度や発色能の低下が少なく、しかも地肌カブリの少ない感熱記録体を提供することにある。」（【０００５】）、
（５ｄ）「・・・呈色剤としては、各種公知のものが使用でき、例えば下記が例示される。・・・２，４’−ジヒドロキシジフェニルスルホン・・・等。」（【００１１】）、
（５ｅ）「実施例１　
(1)Ａ液調製　３−ジ（ｎ−ブチル）アミノ−６−メチル−７−アニリノフルオラン１０部、ｍ−ターフェニル（ｍｐ＝８９℃）２５部、・・・
(2)Ｂ液調製　４，４′−イソプロピリデンジフェノール２０部、・・・
(3)Ｃ液調製　ビスフェノールＳジアリルエーテル（ｍｐ＝１４１℃）２０部、・・・
(4)記録層の形成　・・・記録層を形成した。・・・・・・・
　比較例１　Ａ液調製において、ｍ−ターフェニルの代わりに、１，２−ジフエノキシエタン（ｍｐ＝９７℃）を用いた以外は実施例１と同様にして感熱記録体を得た。
　比較例２　Ａ液調製において、ｍ−ターフェニルの代わりに、テレフタル酸ジベンジル（ｍｐ＝９５℃）を用いた以外は、実施例１と同様にして感熱記録体を得た。
　比較例３　Ｃ液を使用しない以外は、実施例１と同様にして感熱記録体を得た。
・・・感熱記録体について以下の評価試験を行い、その結果を〔表１〕に記載した。
〔発色濃度〕・・・
〔記録像の耐熱性〕記録後の感熱記録紙を５０℃−１０％ＲＨの雰囲気中に４８時間放置した後、マクベス濃度計を用いて上記記録部の濃度（Ｄ２）および白紙部の地肌カブリを測定した。また、下記式により記録濃度残存率（％）を求めた。記録濃度残存率＝Ｄ２　／Ｄ１　×１００
〔白紙部の発色能〕記録前の感熱記録紙を５０℃−１０％ＲＨの雰囲気中に４８時間放置した後、上記〔記録濃度〕の方法で記録し、その記録濃度（Ｄ３）をマクベス濃度計にて測定した。・・・・」（【００１９】〜【００２５】）、
（５ｆ）表１には実施例１として、耐温性（Ｄ２）１．０５、記録濃度（Ｄ３）１．２２、比較例３では、耐温性（Ｄ２）０．７９、記録濃度（Ｄ３）１．２２（【００２６】の【表１】）、
（５ｇ）「〔表１〕の結果から明らかなように、本発明の感熱記録体は、いずれも記録像の保存安定性および記録感度に優れ、しかも白紙部の発色能の低下が少ない感熱記録体であった。」（【００２７】）が記載されている。
 
４　対比、判断
（１）本件発明１について
（ｉ）甲第１号証との対比 
 　甲第１号証には、支持体の片面に、特定のロイコ染料と顕色剤と増感剤を含む感熱発色層を設け、その上に保護層を設けた感熱記録材料において、感熱発色層中に、顕色剤として２，４’−ジヒドロキシジフェニルスルホンを含有する感熱記録材料が記載されていると認められる（１ａ〜１ｄ、１ｇ）。
　そこで、本件発明１と甲第１号証に記載の発明を対比すると、両者は、支持体の片面に、ロイコ染料と顕色剤を含む感熱発色層を設け、その上に保護層を設けた感熱記録材料において、感熱発色層は増感剤を含み、顕色剤として２，４’−ジヒドロキシジフェニルスルホンを含有する感熱記録材料である点で一致するが、本願発明１が、感熱発色層中に増感剤として４，４’ジアリルオキシジフェニルスルホンを含有し、かつ該発色層がｍ−ターフェニルおよびシュウ酸ジベンジルを含有しないのに対し、甲第１号証には、使用することができる増感剤として４，４’ジアリルオキシジフェニルスルホンの記載はなく、発色層がｍ−ターフェニルおよびシュウ酸ジベンジルを含有しないことについて記載されていない点で相違する。
　以下、この相違点について検討する。
　甲第２号証には、感熱記録材料において、感熱発色層にロイコ染料と「２，４’−ジヒドロキシジフェニルスルホン」（顕色剤）と増感剤を含有させることが記載されている（２ａ、２ｄ、２ｆの「実施例２」）。そして、増感剤としてビスフェノールＳ誘導体と例示されているが、「４，４’ジアリルオキシジフェニルスルホン」は記載されていない。また、甲第２号証の実施例結果を示す「表１」には、加熱発色させた後、更に露光（６３℃、２０時間）させた感熱記録紙について「地肌の色濃度」を測定した値が示されているが（２ｆの「性能試験例」、２ｇ）、本件特許明細書に記載された「白紙の耐熱性」（９０℃あるいは１００℃で１時間放置後の地肌濃度）とは異なるものである。
　甲第３号証には、感熱記録材料において、ロイコ染料と顕色剤を含有する感熱発色層中に「４，４’ジアリルオキシジフェニルスルホン」を含有させることが記載され（３ａ〜３ｃ）、顕色剤としては従来公知のフェノール性物質等が使用できる旨記載されているが（３ｄ）、「２，４’−ジヒドロキシジフェニルスルホン」は例示されておらず、高感度でかつ白紙の耐熱性を備える感熱記録材料が得られることも記載されていない。
　甲第４号証には、ロイコ染料と顕色剤を含有する記録層を設けた感熱記録媒体において記録層中に「ビスフェノールＳジアリルエーテル」（「４，４’ジアリルオキシジフェニルスルホン」と同一化合物）と増感剤として「シュウ酸ベンジル」を含有させたものが記載され、顕色剤に相当する呈色剤として２，４’−ジヒドロキシジフェニルスルホンが例示されている（４ａ〜４ｄ）。また、甲第５号証には、ロイコ染料と顕色剤を含有する記録層を設けた感熱記録体において記録層中に「ビスフェノールＳジアリルエーテル」と増感剤として「ｍ−ターフェニル」を含有させたものが記載され、顕色剤に相当する呈色剤として２，４’−ジヒドロキシジフェニルスルホンが例示されている（５ａ〜５ｄ）。しかし、甲第４、５号証に記載された発明は、記録層中に「シュウ酸ジベンジル」または「ｍ−ターフェニル」を含有させることが発明の目的達成において必須であるとするものであり、高感度でかつ白紙の耐熱性を備える感熱記録材料が得られることも記載されていない。
　上記したとおりであり、甲第１〜５号証には、２，４’−ジヒドロキシジフェニルスルホン（顕色剤）と４，４’ジアリルオキシジフェニルスルホン（増感剤）を併用することについて記載または示唆するものはなく、また、甲第１号証の記載の発明において増感剤として、甲第３号証、または甲第４，５号証に記載の４，４’ジアリルオキシジフェニルスルホンを積極的に採用すべき理由は認められない。
　そして、本件発明１においては、ロイコ染料と顕色剤と増感剤を含む感熱発色層中に顕色剤として「２，４’−ジヒドロキシジフェニルスルホン」を含有させ、増感剤として「４，４’ジアリルオキシジフェニルスルホン」を含有させ、「ｍ−ターフェニル」、「シュウ酸ジベンジル」は含有させないことにより、高感度で、かつ白紙の耐熱性を備え、画像保存性にも優れるという顕著な効果が奏されるものである。
　
（ｉｉ）甲第２号証との対比
　甲第２号証には、支持体の片面に、ロイコ染料と顕色剤と増感剤を含む感熱発色層を設けた感熱記録材料において、感熱発色層中に、顕色剤として２，４’−ジヒドロキシジフェニルスルホンを含有する感熱記録材料が記載されていると認められる（２ａ〜２ｇ）。
　そこで、本件発明１と甲第２号証に記載の発明を対比すると、支持体の片面に、ロイコ染料と顕色剤を含む感熱発色層を設けた感熱記録材料において、感熱発色層が増感剤を含み、顕色剤として２，４’−ジヒドロキシジフェニルスルホンを含有する感熱記録材料である点で一致するが、本件発明１が、感熱発色層中に増感剤として４，４’ジアリルオキシジフェニルスルホンを含有し、かつｍ−ターフェニルおよびシュウ酸ジベンジルを含有しないのに対し、甲第２号証には、増感剤としてビスフェノールＳ誘導体等が例示されているが、４，４’ジアリルオキシジフェニルスルホンは記載されず、ｍ−ターフェニルおよびシュウ酸ジベンジルを含有しないことは記載されていない点（相違点１）、本件発明１が支持体の片面に感熱発色層を設け、その上に保護層を設けているのに対し、甲第２号証には保護層を設けることが記載されていない点（相違点２）で相違する。
　そこで、相違点１（上記４（１）（ｉ）に記載した「相違点」と同じ。）について検討する。
　甲第１、３〜５号証については、上記検討事項のとおり、２，４’−ジヒドロキシジフェニルスルホン（顕色剤）と４，４’ジアリルオキシジフェニルスルホン（増感剤）を併用することについて記載または示唆するものはない（上記４（１）参照）。また、甲第２号証の記載の発明において増感剤として、甲第３号証、甲第４，５号証に記載の「４，４’ジアリルオキシジフェニルスルホン」を積極的に採用すべき理由は認められない。
　そして、本件発明１においては、高感度でかつ白紙の耐熱性を備え、画像保存性にも優れるという顕著な効果が奏されるものである。
　したがって、本件発明１は、甲第１〜５号証に記載されたの発明に基づいて当業者が容易に発明をすることができたものではない。
  
（２）本件発明２について
　本件発明２は、本件発明１の構成要件をすべて備え、更に技術的限定を加えるものであるので、上記４（１）に記載したのと同じ理由により、甲第１〜５号証に記載された発明に基づいて当業者が容易に発明をすることができたものではない。
　
５．むすび
　以上のとおりであるから、特許異議申立の理由及び証拠によっては本件の請求項１、２に係る発明の特許を取り消すことはできない。
　また、他に本件の請求項１、２に係る発明の特許を取り消すべき理由を発見しない。
　よって、結論のとおり決定する。
【異議決定日】
平成１６年８月９日（２００４．８．９）